(57)【要約】      （修正有）【課題】  扇風機に取り付けられた揮散性物質放散用容器において、扇風機のどの部位に取り付けても、揮散性物質を扇風機の送風気流に乗せて、良好に放散できる揮散性物質放散用容器を提供する。【解決手段】  扇風機より発生する送風気流Ｓを流入する流入口２と、この流入した送風気流を放出する放出口３とを備えると共に、揮散性物質を保持した揮散性物質保持体４を内部に収納して、送風機器からの送風気流によって揮散性物質保持体４に保持した揮散性物質を放出口３より外部に放散する揮散性物質放散用容器において、揮散性物質保持体４の外周に扇風機からの送風気流Ｓを真っ直ぐに流すようにする直流通路１７を備えることで、この直流通路内に送風気流Ｓを勢い良く流し、直流通路を流れる送風気流Ｓに揮散性物質保持体４より揮散した揮散性物質を誘引させて、放出口２より生活空間に良好に放散させる。【選択図】  図７
2007000187.tif 000002
【特許請求の範囲】
【請求項１】
送風機器より発生する送風気流を流入する流入口２と、この流入した送風気流を放出する放出口３とを備えると共に、揮散性物質を保持した揮散性物質保持体４を内部に収納して、送風機器からの送風気流によって揮散性物質保持体４に保持した揮散性物質を放出口３より外部に放散する揮散性物質放散用容器において、
内部に収納した揮散性物質保持体４の外周に送風機器からの送風気流を真っ直ぐに流すようにする直流通路１７を備えるようにしたことを特徴とする揮散性物質放散用容器。
【請求項２】
送風機器より発生する送風気流を流入する流入口２と、この流入した送風気流を放出する放出口３とを備えると共に、揮散性物質を保持した揮散性物質保持体４を内部に収納して、送風機器からの送風気流によって揮散性物質保持体４に保持した揮散性物質を放出口３より外部に放散する揮散性物質放散用容器において、
内部に収納した揮散性物質保持体４の中央に送風機器からの送風気流を真っ直ぐに流すようにする直流通路１７を備えるようにしたことを特徴とする揮散性物質放散用容器。
【請求項３】
送風機器より発生する送風気流を流入する流入口２と、この流入した送風気流を放出する放出口３とを備えると共に、揮散性物質を保持した揮散性物質保持体４を内部に収納して、送風機器からの送風気流によって揮散性物質保持体４に保持した揮散性物質を放出口３より外部に放散する揮散性物質放散用容器において、
内部に収納した揮散性物質保持体４の中央に送風機器からの送風気流を真っ直ぐに流すようにする直流通路１７を備えると共に、揮散性物質保持体４の外周にも送風機器からの送風気流を真っ直ぐに流すようにする直流通路１７を備えるようにしたことを特徴とする揮散性物質放散用容器。
【発明の詳細な説明】
【技術分野】
【０００１】
本発明は、芳香剤や消臭剤、害虫防除剤等の揮散性物質を生活空間に放散する揮散性物質放散用容器に関する。
【背景技術】
【０００２】
従来、家庭内に備えられていた扇風機等の送風機器を利用して、芳香剤や消臭剤、害虫防除剤等の揮散性物質を生活空間に放散し、良い香りを漂わせたり、あるいは不快な臭いを消したり、あるいは不快害虫を除去したりして、快適な生活空間を得るようにしたものが知られていた。
【０００３】
これは、例えば、実開平４−５７６９８号公報、登録実用新案第３０１６５６６号公報に示されているように、扇風機の前面ガードの上側等に芳香剤や消臭剤等の揮散性物質を入れた揮散性物質放散用容器を取り付け、この揮散性物質放散用容器から揮散した芳香剤や消臭剤等の揮散性物質を扇風機により発生する送風気流にのせて生活空間に放散し、良い香りを漂わせたり、あるいは不快な臭いを消したりして、快適な生活空間を得るようにしていた。
【０００４】
【特許文献１】実開平４−５７６９８号公報
【特許文献２】登録実用新案第３０１６５６６号公報
【発明の開示】
【発明が解決しようとする課題】
【０００５】
送風機器の代表である扇風機は、回転により風を起こす羽根を備えると共に、この羽根を覆う前面ガードと後面ガードとを備え、前面ガード及び後面ガードは放射状に配置した複数のワイヤによって形成している。そして、羽根を回転させて風を起こして、すなわち送風気流を発生させて人やその周辺に空気を流すことにより、生活空間において、そこにいる人に涼風感をもたらすようにするものである。
【０００６】
このような扇風機にあっては、この扇風機より発生する送風気流の風力が前面ガードのそれぞれの部位において大きく異なる、つまりその部位により風力の強弱が若干存在していた。これは、前面ガードにおける中央域と外周域とにあっては風力が若干弱くなり、この中央域と外周域との間である中間域にあっては風力が若干強くなっていた。
【０００７】
これによって、前述したような扇風機の前面ガードに揮散性物質放散用容器を取り付けて、この揮散性物質放散用容器から揮散した芳香剤や消臭剤等の揮散性物質を送風気流にのせて生活空間に放散させようとする際、基本的には扇風機より発生した送風気流が揮散性物質放散用容器自体に当たって、この揮散性物質放散用容器を取り付けた箇所では風力が弱くなってしまう。そして、例えば風力が若干弱い前面ガードにおける中央域あるいは外周域に揮散性物質放散用容器を取り付けた場合には、扇風機より発生した送風気流の風力が前面ガードにおける中間域に比べて若干弱い上にさらに前述のように揮散性物質放散用容器により風力が弱くなってしまう。このため、揮散性物質放散用容器内から揮散した芳香剤や消臭剤等の揮散性物質を扇風機により発生する送風気流にうまくのせて生活空間に良好に放散することができないといった問題が生じるおそれがあった。
【０００８】
本発明は、この問題を鑑み、扇風機を代表とする送風機器を利用して、芳香剤や消臭剤、害虫防除剤等の揮散性物質を生活空間に放散して、快適な生活空間を得ようとする際、送風機器である扇風機の前面ガードにおいて、どの部位に当該揮散性物質放散用容器を取り付けても、揮散性物質放散用容器内から揮散した揮散性物質を送風機器により発生する送風気流にうまくのせて生活空間に良好に放散させることのできる揮散性物質放散用容器を提供することを、その課題とする。
【課題を解決するための手段】
【０００９】
本発明は、送風機器より発生する送風気流を流入する流入口と、この流入した送風気流を放出する放出口とを備えると共に、揮散性物質を保持した揮散性物質保持体を内部に収納して、送風機器からの送風気流によって揮散性物質保持体に保持した揮散性物質を放出口より外部に放散する揮散性物質放散用容器において、内部に収納した揮散性物質保持体の外周又は中央に送風機器からの送風気流を真っ直ぐに流すようにする直流通路を備えるようにする。
【００１０】
また、本発明は、送風機器より発生する送風気流を流入する流入口と、この流入した送風気流を放出する放出口とを備えると共に、揮散性物質を保持した揮散性物質保持体を内部に収納して、送風機器からの送風気流によって揮散性物質保持体に保持した揮散性物質を放出口より外部に放散する揮散性物質放散用容器において、内部に収納した揮散性物質保持体の外周と中央との両側に送風機器からの送風気流を真っ直ぐに流すようにする直流通路を備えるようにする。
【発明の効果】
【００１１】
本発明によれば、内部に収納した揮散性物質保持体の外周又は中央に直流通路を備えて、この直流通路内に送風機器より発生する送風気流を勢い良く流すことにより、直流通路を流れる送風気流に揮散性物質保持体より揮散した揮散性物質を誘引させて、放出口より生活空間に良好に放散させることができる。これにより、当該揮散性物質放散用容器を取り付ける部位によって風力の強弱が若干存在する送風機器において、どの部位に当該揮散性物質放散用容器を取り付けても、直流通路を流れる送風気流により揮散した揮散性物質を送風気流にうまくのせて生活空間に良好に放散させることができ、芳香剤や消臭剤、害虫防除剤等の揮散性物質を生活空間に良好に放散して、快適な生活空間を得ることができる。
【００１２】
また、内部に収納した揮散性物質保持体の外周と中央との両側に送風機器からの送風気流を真っ直ぐに流すようにする直流通路をそれぞれ備えることにより、この揮散性物質保持体の外周と中央との両側の直流通路によって揮散性物質保持体より揮散した揮散性物質を確実に誘引させて、放出口より生活空間に良好に放散させることができる。
【発明を実施するための最良の形態】
【００１３】
本発明による揮散性物質放散用容器の第一実施形態について説明する。
【００１４】
揮散性物質放散用容器としては、図１、図２、図３、図４、図５に示すように、前後に向かう円筒状の周壁１を備えて、この周壁１の後方において円形状に開口する部分を送風機器、例えば扇風機２１より発生する送風気流Ｓを流入する流入口２にすると共に、周壁１の前方において円形状に開口する部分を流入した送風気流Ｓを放出する放出口３にする。そして、この周壁１の内部に揮散性物質を保持した薄型円形状の揮散性物質保持体４を内部に後方より出し入れ自在に縦向きで収納する。さらに、周壁１の後方には円形状となる格子構造のキャップ５を周壁１に取り外し可能に嵌め込むように備え、このキャップ５を周壁１の後方に嵌め込むことにより内部に収納した揮散性物質保持体４を固定している。
【００１５】
内部に収納する揮散性物質保持体４にあっては、３本の放射状のバー１１を設けて大きな開口部を有する円形状の前枠体１２と、この前枠体１２の内側に嵌め込むようになる３本の放射状のバー１１を設けて大きな開口部を有する円形状の後枠体１３と、この前枠体１２と後枠体１３との内部に収める通気性を有する円形状の含浸材１４とから構成しており、内部に収める含浸材１４には芳香剤や消臭剤、害虫防除剤等の揮散性物質を含浸させることにより保持させている。また、この揮散性物質保持体４には、その外周における上下左右の４ヶ所に舌状の突出片１５を備えて、この４つの突出片１５が周壁１の内周に当接することで、周壁１の内部に４つの突出片１５を介して揮散性物質保持体４が収納される。
【００１６】
なお、この揮散性物質保持体４における含浸材１４において、その材料としては、紙類（パルプ、リンター、合成紙等）、木製類（おがくず等）、セラミック、繊維類（化学繊維、ガラス繊維、炭素繊維等）、天然繊維（木綿、羊毛、絹、麻等）、樹脂類（ポリエチレン、ポリエステル、ポリプロピレン、レーヨン、ビスコース、高吸油性ポリマー等）、各繊維からの不織布、天然植物等の乾燥物等が挙げられる。そして、その形態としては、マット状、シート状、網状、ハニカム状、スノコ状、格子状、綿状、粒状等が挙げられる。
【００１７】
また、揮散性物質保持体４に保持する揮散性物質としては、芳香剤や消臭剤、害虫防除剤等であるが、特に人体に対して悪影響が少ないつまり無害な成分のものが良い。なお、害虫防除剤は、殺ダニ剤、害虫あるいは害獣忌避剤、殺虫剤または害虫の成長制御剤、吸血行動阻止剤等であり、殺虫を主たる目的として使用する場合は、従来より用いられている各種の揮散性殺虫剤、例えば、ピレスロイド系殺虫剤、カーバメート系殺虫剤、有機リン系殺虫剤等が挙げられるが、安全面を考えて、一般に安全性が高いピレスロイド系殺虫剤が好適である。さらに、その中でも、微量で効力を発揮する高活性のメトフルトリン、トランスフルトリン、エムペントリン、テラレスリン、プロフルトリンが揮散性物質保持体４の含浸材１４を薄く、また小さくできることからより好ましい。なお、前述のピレスロイド系殺虫剤は、低濃度では忌避や吸血阻害の効能を発現するので安全面で好適に使用することができる。また、安全性の高い植物精油（ペニーロイヤル油、レモングラス油、ヒバ油、ペパーミント油等）やその有効成分（プレゴン、シトラール、シトロネラール、ヒノキチオール、シネオール等）も忌避や吸血阻害の効能を発現するので好適に使用することができる。
【００１８】
また、周壁１の後方に備えるキャップ５はその左右端部に左右外側に向かう略Ｌ字形の左右一対の係止部１６を備えて、この左右の係止部１６に扇風機２１の前面ガード２２における２本のワイヤ２３を引っ掛けることで、当該揮散性物質放散用容器を扇風機２１に着脱自在に取り付けることができるようにしている。
【００１９】
そして、当該揮散性物質放散用容器の周壁１の内部において、内部に収納した揮散性物質保持体４近傍となる揮散性物質保持体４の外周略全周にわたって扇風機２１からの送風気流Ｓを真っ直ぐに流すようにする直流通路１７を備える。
【００２０】
この直流通路１７としては、図４に示すように、周壁１の後方の流入口２から周壁１の内周と揮散性物質保持体４の外周との間に形成される隙間、つまり揮散性物質保持体４の外周に略リング状に形成される空隙部１８を経て周壁１の前方の放出口３に達するものであり、流入口２から流入した扇風機２１からの送風気流Ｓが真っ直ぐ前方に向かって流れ、揮散性物質保持体４の外周に形成された空隙部１８を通過して、前方の放出口３より外部に送風気流Ｓが放出される。これにより、直流通路１７では、扇風機２１からの送風気流Ｓが後方の流入口２より流入し、内部において何の障害物にも当たることなしに真っ直ぐ前方に流れて、前方の放出口３より外部に放出するようになる。
【００２１】
このような構成となる揮散性物質放散用容器の使用例としては、図６に示すように、扇風機２１の前面ガード２２における例えば上側に当該揮散性物質放散用容器をその後方である流入口２を前面ガード２２に向けて取り付ける。そして、扇風機２１を作動して、扇風機２１の前方に向かって吹き出す送風気流Ｓが発生すると、図７に示すように、揮散性物質放散用容器において、扇風機２１からの送風気流Ｓが流入口２より流入し、内部において揮散性物質保持体４における含浸材１４内を通過して、含浸材１４に含浸させた揮散性物質を前方に揮散させる。このとき、揮散性物質保持体４における含浸材１４内を通過した送風気流Ｓは含浸材１４内を通過することにより風力が弱まり、含浸材１４より揮散した揮散性物質が前方の生活空間に良好に放散しないようになる。しかしながら、これと同時に、扇風機２１からの送風気流Ｓの一部が揮散性物質保持体４の外周略全周にわたって備えた直流通路１７を真っ直ぐ前方に流れて、前方の放出口３より外部に放出するようになるが、この直流通路１７を流れる送風気流Ｓは何の障害物にも当たることなしに流れ、かつ周壁１により整流されるので、直流通路１７を勢い良く流れる。これによって、この直流通路１７を流れる送風気流Ｓにより、つまり直流通路１７を流れる勢いの良い送風気流Ｓの誘引力によって含浸材１４より揮散した揮散性物質が誘引されるようになり、揮散性物質が直流通路１７を流れる送風気流Ｓにのって放出口３より外部の生活空間に良好に放散するようになる。
【００２２】
このように内部に収納した揮散性物質保持体４の外周略全周にわたって直流通路１７を備えて、この直流通路１７内に勢い良く送風気流Ｓが流れることにより、揮散性物質保持体４の含浸材１４より揮散した揮散性物質が直流通路１７を流れる送風気流Ｓに誘引されて、放出口３より前方の生活空間に極めて良好に放散させることができる。
【００２３】
これにより、風力の強弱が若干存在する扇風機２１の前面ガード２２において、どの部位に当該揮散性物質放散用容器を取り付けても、揮散性物質放散用容器内から揮散した揮散性物質を扇風機２１により発生する送風気流Ｓにうまくのせて生活空間に良好に放散させることができ、芳香剤や消臭剤、害虫防除剤等の揮散性物質を生活空間に良好に放散して、快適な生活空間を得ることができる。
【００２４】
また、前述した揮散性物質放散用容器の第一実施形態の変形例として、図８に示すように、周壁１の後方に備えるキャップ５をなくすようにしても良い。この場合、内部に収納する揮散性物質保持体４は周壁１の内側にしっかり嵌り込むようにすると共に、当該揮散性物質放散用容器を扇風機２１に取り付けるための係止部１６については周壁１の後端の左右両側に備えるようにする。
【００２５】
さらに、別の変形例としては、図９に示すように、内部に収納する揮散性物質保持体４を前述した前枠体１２と後枠体１３と含浸材１４とから構成したものにするのではなく、上下左右の４ヶ所の外周に突出片１５を備えた円形状の単なるハニカム構造体３１にして、このハニカム構造体３１に芳香剤や消臭剤、害虫防除剤等の揮散性物質を含浸させるようにする。
【００２６】
次に、本発明による揮散性物質放散用容器の第二実施形態について説明する。
【００２７】
揮散性物質放散用容器としては、図１０、図１１、図１２に示すように、前後に向かう円筒状の周壁１を備えて、この周壁１の後方において円形状に開口する部分を送風機器である扇風機２１より発生する送風気流Ｓを流入する流入口２にすると共に、周壁１の前方において円形状に開口する部分を流入した送風気流Ｓを放出する放出口３にする。そして、この周壁１の内部に揮散性物質を保持した中央が開口する薄型円形リング状の揮散性物質保持体４を内部に後方より出し入れ自在に縦向きで収納する。さらに、周壁１の後方には円形状となる格子構造のキャップ５を周壁１に取り外し可能に嵌め込むように備え、このキャップ５を周壁１の後方に嵌め込むことにより内部に収納した揮散性物質保持体４を固定している。
【００２８】
内部に収納する揮散性物質保持体４にあっては、３本の放射状のバー３２を設けて大きな開口部を有する円形リング状の前枠体３３と、この前枠体３３の内側に嵌め込むようになる３本の放射状のバー３２を設けて大きな開口部を有する円形リング状の後枠体３４と、この前枠体３３と後枠体３４との内部に収める通気性を有する円形リング状の含浸材３５とから構成しており、その中央が開口した形状である。また、含浸材３５には、前述の第一実施形態と同様、芳香剤や消臭剤、害虫防除剤等の揮散性物質を含浸させることにより保持させている。なお、この揮散性物質保持体４は、その外周が周壁１の内周に軽く当接することで、周壁１の内部に揮散性物質保持体４が収納される。
【００２９】
また、キャップ５には、前述の第一実施形態と同様、その左右端部に略Ｌ字形の左右一対の係止部１６を備える。
【００３０】
そして、当該揮散性物質放散用容器の周壁１の内部において、内部に収納した揮散性物質保持体４近傍となる揮散性物質保持体４の中央に扇風機２１からの送風気流Ｓを真っ直ぐに流すようにする直流通路１７を備える。
【００３１】
この直流通路１７としては、周壁１の後方の流入口２から薄型円形リング状の揮散性物質保持体４の中央に形成される空隙部３６を経て周壁１の前方の放出口３に達するものであり、流入口２から流入した扇風機２１からの送風気流Ｓが真っ直ぐ前方に向かって流れ、揮散性物質保持体４の中央に形成された空隙部３６を通過して、前方の放出口３より外部に送風気流Ｓが放出される。これにより、直流通路１７では、扇風機２１からの送風気流Ｓが後方の流入口２より流入し、内部において何の障害物にも当たることなしに真っ直ぐ前方に流れて、前方の放出口３より外部に放出するようになる。
【００３２】
このような構成となる揮散性物質放散用容器の使用例としては、前述の第一実施形態と同様、扇風機２１の前面ガード２２に当該揮散性物質放散用容器を向けて取り付け、扇風機２１を作動して、扇風機２１の前方に向かって吹き出す送風気流Ｓが発生すると、図１３に示すように、揮散性物質放散用容器において、扇風機２１からの送風気流Ｓが流入口２より流入し、内部において揮散性物質保持体４における含浸材３５内を通過して、含浸材３５に含浸させた揮散性物質を前方に揮散させる。このとき、揮散性物質保持体４における含浸材３５内を通過した送風気流Ｓは含浸材３５内を通過することにより風力が弱まり、含浸材３５より揮散した揮散性物質が前方の生活空間に良好に放散しないようになる。しかしながら、これと同時に、扇風機２１からの送風気流Ｓの一部が揮散性物質保持体４の中央に備えた直流通路１７を真っ直ぐ前方に流れて、前方の放出口３より外部に放出するようになるが、この直流通路１７を流れる送風気流Ｓは何の障害物にも当たることなしに流れるので、直流通路１７を勢い良く流れる。これによって、この直流通路１７を流れる送風気流Ｓにより、つまり直流通路１７を流れる勢いの良い送風気流Ｓの誘引力によって含浸材３５より揮散した揮散性物質が誘引されるようになり、揮散性物質が直流通路１７を流れる送風気流Ｓにのって放出口３より外部の生活空間に良好に放散するようになる。
【００３３】
このように内部に収納した揮散性物質保持体４の中央に直流通路１７を備えて、この直流通路１７内に勢い良く送風気流Ｓが流れることにより、揮散性物質保持体４の含浸材３５より揮散した揮散性物質が直流通路１７を流れる送風気流Ｓに誘引されて、放出口３より前方の生活空間に極めて良好に放散させることでき、快適な生活空間を得ることができる。
【００３４】
次に、本発明による揮散性物質放散用容器の第三実施形態について説明すると、揮散性物質放散用容器としては、基本的には前述した第一実施形態と同様であるが、図１４、図１５、図１６に示すように、第一実施形態における揮散性物質放散用容器において、その周壁１の前方に円形状となる前面カバー３７を備える。
【００３５】
この前面カバー３７は、平板形状となり、当該揮散性物質放散用容器の周壁１の内部において揮散性物質保持体４の外周略全周にわたって備えた直流通路１７を遮ることのないように、外径を直流通路１７の内径より若干小さくすると共に、外周に４つの支持片３８を備え、この４つの支持片３８により周壁１に固定される。
【００３６】
なお、このように前面カバー３７を備えるようにしても、基本的には揮散性物質保持体４の外周略全周にわたって備えた直流通路１７を遮ることがないので、第一実施形態と同様、この直流通路１７でも扇風機２１からの送風気流Ｓが真っ直ぐに勢い良く流れる。これによって、この直流通路１７を流れる送風気流Ｓにより、つまり直流通路１７を流れる勢いの良い送風気流Ｓの誘引力によって含浸材１４より揮散した揮散性物質が誘引されるようになり、前述した第一実施形態と略同様、揮散性物質が直流通路１７を流れる送風気流Ｓにのって放出口３より外部の生活空間に良好に放散させることでき、快適な生活空間を得ることができる。しかも、前面カバー３７を備えることにより、幼児や子供等が誤って揮散性物質保持体４の含浸材１４等に触れたりするのを防止することもできる。
【００３７】
また、この前面カバー３７にあっては、平板形状のものに限定されるものではなく、他のもの、例えば周壁１の後方に備えたキャップ５と同様の格子構造のものでも良い。
【００３８】
次に、本発明による揮散性物質放散用容器の第四実施形態について説明する。前述した第一実施形態乃至第三実施形態にあっては、周壁が円筒状となり、当該揮散性物質放散用容器が円形状になるものであったが、形状はこれに限定されるものではない。
【００３９】
例えば、揮散性物質放散用容器としては、図１７、図１８、図１９、図２０に示すように、周壁１を前後に向かう正方形筒状とし、この周壁１の後方において正方形状に開口する部分を送風機器である扇風機２１より発生する送風気流Ｓを流入する流入口２にすると共に、周壁１の前方において正方形状に開口する部分を流入した送風気流Ｓを放出する放出口３にする。そして、この周壁１の内部に揮散性物質を保持した薄型正方形状の揮散性物質保持体４を内部に後方より出し入れ自在に縦向きで収納する。なお、この内部に収納する揮散性物質保持体４は、正方形筒状となる周壁１の内部に四隅が上下左右にそれぞれ向く◇字形になるように配置している。
【００４０】
この揮散性物質保持体４にあっては、縦長の長孔４１を全体に多数形成して大きな開口部を有する正方形状の前枠体４２と、この前枠体４２の内側に嵌め込むようになる縦長の長孔４１を全体に多数形成して大きな開口部を有する正方形状の後枠体４３と、この前枠体４２と後枠体４３との内部に収める通気性を有する正方形状の含浸材４４とから構成している。なお、含浸材４４及びこの含浸材４４に含浸させる揮散性物質は、前述の各実施形態と同様である。そして、この揮散性物質保持体４の上下左右の四隅が周壁１の内周の上下左右それぞれに形成した溝部４５に嵌り込むことで、周壁１の内部に揮散性物質保持体４が収納される。
【００４１】
また、周壁１の後方の下部に下方に突き出る後壁部４７を備え、この後壁部４７に扇風機２１に当該揮散性物質放散用容器を着脱自在に取り付けるための係止部１６を備え、この係止部１６は係止板４８を有して、扇風機２１の前面ガード２２における２本のワイヤ２３を後壁部４７と係止部１６の係止板４８とで挟み込むようにすることで、当該揮散性物質放散用容器を扇風機２１に着脱自在に取り付けることができるようにしている。
【００４２】
そして、当該揮散性物質放散用容器の周壁１の内部において、内部に収納した揮散性物質保持体４近傍となる揮散性物質保持体４の外周における右上と右下と左上と左下とである略全周にわたって扇風機２１からの送風気流Ｓを真っ直ぐに流すようにする直流通路１７を備える。
【００４３】
この直流通路１７としては、周壁１の後方の流入口２から周壁１の内周と揮散性物質保持体４の外周との間に形成される隙間、つまり揮散性物質保持体の外周における右上と右下と左上と左下とに形成される空隙部４９を経て周壁１の前方の放出口３に達するものであり、流入口２から流入した扇風機２１からの送風気流Ｓが真っ直ぐ前方に向かって流れ、揮散性物質保持体４の外周に形成された空隙部４９を通過して、前方の放出口３より外部に送風気流Ｓが放出される。これにより、直流通路１７では、扇風機２１からの送風気流Ｓが後方の流入口２より流入し、内部において何の障害物にも当たることなしに真っ直ぐ前方に流れて、前方の放出口３より外部に放出するようになる。
【００４４】
このような構成となる揮散性物質放散用容器の使用例としては、前述の各実施形態と同様、扇風機２１の前面ガード２２に当該揮散性物質放散用容器を向けて取り付け、扇風機２１を作動して、扇風機２１の前方に向かって吹き出す送風気流Ｓが発生すると、揮散性物質放散用容器において、扇風機２１からの送風気流Ｓが流入口２より流入し、内部において揮散性物質保持体４における含浸材４４内を通過して、含浸材４４に含浸させた揮散性物質を前方に揮散させる。このとき、揮散性物質保持体４における含浸材４４内を通過した送風気流Ｓは含浸材４４内を通過することにより風力が弱まり、含浸材４４より揮散した揮散性物質が前方の生活空間に良好に放散しないようになる。しかしながら、これと同時に、扇風機２１からの送風気流Ｓの一部が揮散性物質保持体４の外周における右上と右下と左上と左下とである略全周にわたって備えた直流通路１７を真っ直ぐ前方に流れて、前方の放出口３より外部に放出するようになるが、この直流通路１７を流れる送風気流Ｓは何の障害物にも当たることなしに流れ、かつ周壁により整流されるので、直流通路１７を勢い良く流れる。これによって、この直流通路１７を流れる送風気流Ｓにより、つまり直流通路１７を流れる勢いの良い送風気流Ｓの誘引力によって含浸材４４より揮散した揮散性物質が誘引されるようになり、揮散性物質が直流通路１７を流れる送風気流Ｓにのって放出口３より外部の生活空間に良好に放散するようになる。
【００４５】
このように内部に収納した揮散性物質保持体４の外周における右上と右下と左上と左下とである略全周にわたって直流通路１７を備えて、この直流通路１７内に勢い良く送風気流Ｓが流れることにより、揮散性物質保持体４の含浸材４４より揮散した揮散性物質が直流通路１７を流れる送風気流Ｓに誘引されて、放出口３より前方の生活空間に極めて良好に放散させることでき、快適な生活空間を得ることができる。
【００４６】
また、正方形筒状の周壁１の内部に正方形筒状の揮散性物質保持体４を、四隅が上下左右にそれぞれ向く◇字形に配置したことにより、前述した第一実施形態や第三実施形態では、揮散性物質保持体４を周壁１の内周に突出片１５によって支持されるようになるが、本第四実施形態では、このような突出片１５を不要とし、周壁１や揮散性物質保持体４を非常にシンプルな形状にすることで、当該揮散性物質放散用容器の製作を容易に行うことができる。
【００４７】
次に、本発明による揮散性物質放散用容器の第五実施形態について説明する。前述した第一実施形態乃至第四実施形態にあっては、直流通路１７を揮散性物質保持体４の外周あるいは中央のどちらか一方に備えるようにしていたが、これを揮散性物質保持体４の外周と中央の両方に備えるようにしても良い。
【００４８】
例えば、揮散性物質放散用容器としては、図２１、図２２、図２３に示すように、周壁１を前後に向かう正方形筒状とし、この周壁１の後方において正方形状に開口する部分を送風機器である扇風機２１より発生する送風気流Ｓを流入する流入口２にすると共に、周壁１の前方において正方形状に開口する部分を流入した送風気流Ｓを放出する放出口３にする。そして、この周壁１の内部に揮散性物質を保持した中央が開口する薄型円形リング状の揮散性物質保持体４を内部に後方より出し入れ自在に縦向きで収納する。なお、この内部に収納する揮散性物質保持体４には、その外周における上下左右の４ヶ所に小さな舌状の小突出片５１を備えて、この４つの小突出片５１が周壁１の内周に形成した小溝５２に嵌め込まれることで、周壁１の内部に揮散性物質保持体４が収納される。
【００４９】
この揮散性物質保持体４にあっては、多数の長孔５３を全体に環状にわたって形成して大きな開口部を有する円形リング状の前枠体５４と、この前枠体５４の内側に嵌め込むようになる多数の長孔５３を全体に環状にわたって形成して大きな開口部を有する円形リング状の後枠体５５と、この前枠体５４と後枠体５５との内部に収める粒状の含浸材５６とから構成している。なお、この含浸材５６に含浸させる揮散性物質は、前述の各実施形態と同様である。
【００５０】
そして、当該揮散性物質放散用容器の周壁１の内部において、内部に収納した揮散性物質保持体４近傍となる揮散性物質保持体４の外周における右上と右下と左上と左下とである略全周にわたって扇風機２１からの送風気流Ｓを真っ直ぐに流すようにする直流通路１７を備えると共に、この揮散性物質保持体４近傍となる揮散性物質保持体４の中央にも扇風機２１からの送風気流Ｓを真っ直ぐに流すようにする直流通路１７を備える。
【００５１】
この直流通路１７として、第一は、周壁１の後方の流入口２から周壁１の内周と揮散性物質保持体４の外周との間に形成される隙間、つまり揮散性物質保持体の外周における右上と右下と左上と左下とに形成される空隙部５７を経て周壁１の前方の放出口３に達するものであり、流入口２から流入した扇風機２１からの送風気流Ｓが真っ直ぐ前方に向かって流れ、揮散性物質保持体４の外周に形成された空隙部５７を通過して、前方の放出口３より外部に送風気流Ｓが放出される。また、第二は、周壁１の後方の流入口２から薄型円形リング状の揮散性物質保持体４の中央に形成される空隙部５８を経て周壁１の前方の放出口３に達するものであり、流入口２から流入した扇風機２１からの送風気流Ｓが真っ直ぐ前方に向かって流れ、揮散性物質保持体４の中央に形成された空隙部５８を通過して、前方の放出口３より外部に送風気流Ｓが放出される。これにより、これらの直流通路１７では、扇風機２１からの送風気流Ｓが後方の流入口２より流入し、内部において何の障害物にも当たることなしに真っ直ぐ前方に流れて、前方の放出口３より外部に放出するようになる。
【００５２】
このような構成となる揮散性物質放散用容器の使用例としては、前述の各実施形態と同様、扇風機２１の前面ガード２２に当該揮散性物質放散用容器を向けて取り付け、扇風機２１を作動して、扇風機２１の前方に向かって吹き出す送風気流Ｓが発生すると、図２４に示すように、揮散性物質放散用容器において、扇風機２１からの送風気流Ｓが流入口２より流入し、内部において揮散性物質保持体４内を通過して、その内部の含浸材５６に含浸させた揮散性物質を前方に揮散させる。このとき、揮散性物質保持体４内を通過した送風気流Ｓは揮散性物質保持体４内を通過することにより風力が弱まり、含浸材５６より揮散した揮散性物質が前方の生活空間に良好に放散しないようになる。しかしながら、これと同時に、扇風機２１からの送風気流Ｓの一部が揮散性物質保持体４の中央に備えた直流通路１７を真っ直ぐ前方に流れて、前方の放出口３より外部に放出するようになると共に、揮散性物質保持体４の外周における右上と右下と左上と左下に備えた直流通路１７を真っ直ぐ前方に流れて、前方の放出口３より外部に放出するようになるが、これらの直流通路１７を流れる送風気流Ｓは何の障害物にも当たることなしに流れるので、直流通路１７を勢い良く流れる。これによって、中央の直流通路１７を流れる送風気流Ｓと外周の直流通路１７を流れる送風気流Ｓとにより、つまり中央と外周との両側の直流通路１７を流れる勢いの良い送風気流Ｓの誘引力によって含浸材５６より揮散した揮散性物質が確実に誘引されるようになり、揮散性物質が中央と外周との両側の直流通路１７を流れる送風気流Ｓにのって放出口３より外部の生活空間に良好に放散するようになる。
【００５３】
このように内部に収納した揮散性物質保持体４の中央と外周との両側に直流通路１７を備えて、この両側の直流通路１７内に勢い良く送風気流Ｓが流れることにより、揮散性物質保持体４の含浸材５６より揮散した揮散性物質が中央と外周との両側の直流通路１７を流れる送風気流Ｓに確実に誘引されて、放出口３より前方の生活空間に極めて良好に放散させることでき、快適な生活空間を得ることができる。
【００５４】
なお、この揮散性物質放散用容器の第五実施形態の変形例として、図２５に示すように、揮散性物質保持体４は前述のものと略同様であるが、周壁１を前後に向かう略三角形筒状とし、三角形の角を面取った形状にしている。
【００５５】
以上のように、本発明による揮散性物質放散用容器にあっては、前述した各実施形態に示したように、いろいろな形状あるいは形態のものがあるが、これらに限定されるものではなく、例えば、周壁１や揮散性物質保持体４を長方形状や楕円形状さらには多角形状にすることも考えられ、これらの組み合わせも多様であり、同様の機能を有するものならどのような形状あるいは形態のものでも良い。
【００５６】
また、扇風機２１に当該揮散性物質放散用容器を着脱自在に取り付けるための係止部１６としては、前述したもの以外にも、例えば、図２６、図２７に示すように、伸縮自在となるゴムバンドあるいはゴムひもの両端にフック６１を設けたものが挙げられ、前述の第五実施形態等にあっては、このような形態の係止部１６を用いるのが好ましい。この場合、周壁１側に掛合部を設けて、図２７に示すように、２本乃至４本の係止部１６を使用して、係止部１６の一端を周壁１側に設けた掛合部に引っ掛けると共に、係止部１６の他端を扇風機２１の前面ガード２２の例えば外枠に引っ掛ける。この係止部１６の他端を扇風機２１の前面ガード２２の外枠に引っ掛ける場所としては当該揮散性物質放散用容器が下方に落下しないようにするために前面ガード２２における外枠のワイヤ２３が接合する箇所の上側が好ましい。なお、このような形態の係止部１６については、前述した第一実施形態乃至第四実施形態で説明した揮散性物質放散用容器にも用いることは可能である。
【００５７】
また、前述した各実施形態における揮散性物質放散用容器において、扇風機２１に取り付けて使用した例で説明しているが、扇風機２１以外の送風機器、具体的には、冷風機、ルームエアコンやカーエアコン等に取り付けて使用しても良い。
【図面の簡単な説明】
【００５８】
【図１】本発明の第一実施形態の揮散性物質放散用容器の正面図である。
【図２】図１におけるＡ−Ａ断面図である。
【図３】本発明の第一実施形態の揮散性物質放散用容器の背面図である。
【図４】本発明の第一実施形態の揮散性物質放散用容器におけるキャップを取り外した状態の背面図である。
【図５】本発明の第一実施形態の揮散性物質放散用容器の分解斜視図である。
【図６】本発明の第一実施形態の揮散性物質放散用容器の使用例の説明図である。
【図７】本発明の第一実施形態の揮散性物質放散用容器における作用状態を示す説明図である。
【図８】本発明の第一実施形態の変形例の揮散性物質放散用容器の背面図である。
【図９】本発明の第一実施形態の別の変形例の揮散性物質放散用容器の正面図である。
【図１０】本発明の第二実施形態の揮散性物質放散用容器の正面図である。
【図１１】図１０におけるＢ−Ｂ断面図である。
【図１２】本発明の第二実施形態の揮散性物質放散用容器の背面図である。
【図１３】本発明の第二実施形態の揮散性物質放散用容器における作用状態を示す説明図である。
【図１４】本発明の第三実施形態の揮散性物質放散用容器の正面図である。
【図１５】図１４におけるＣ−Ｃ断面図である。
【図１６】本発明の第三実施形態の揮散性物質放散用容器の背面図である。
【図１７】本発明の第四実施形態の揮散性物質放散用容器の正面図である。
【図１８】図１７におけるＤ−Ｄ断面図である。
【図１９】本発明の第四実施形態の揮散性物質放散用容器の背面図である。
【図２０】本発明の第四実施形態の揮散性物質放散用容器の平面図である。
【図２１】本発明の第五実施形態の揮散性物質放散用容器の背面図である。
【図２２】図２１におけるＥ−Ｅ断面図である。
【図２３】本発明の第五実施形態の揮散性物質放散用容器の平面図である。
【図２４】本発明の第五実施形態の揮散性物質放散用容器における作用状態を示す説明図である。
【図２５】本発明の第五実施形態の変形例の揮散性物質放散用容器の背面図である。
【図２６】本発明による揮散性物質放散用容器における係止部の説明図である。
【図２７】本発明による揮散性物質放散用容器における係止部の説明図である。
【図２８】本発明による揮散性物質放散用容器における係止部の使用例の説明図である。
【符号の説明】
【００５９】
１…周壁、２…流入口、３…放出口、４…揮散性物質保持体、５…キャップ、１１…バー、１２…前枠体、１３…後枠体、１４…含浸材、１５…突出片、１６…係止部、１７…直流通路、１８…空隙部、２１…扇風機、２２…前面ガード、２３…ワイヤ、３１…ハニカム構造体、３２…バー、３３…前枠体、３４…後枠体、３５…含浸材、３６…空隙部、３７…前面カバー、３８…支持片、４１…長孔、４２…前枠体、４３…後枠体、４４…含浸材、４５…溝部、４７…後壁部、４８…係止板、４９…空隙部、５１…小突出片、５２…小溝、５３…長孔、５４…前枠体、５５…後枠体、５６…含浸材、５７…空隙部、５８…空隙部、６１…フック
【図１】
2007000187.tif 000003
【図２】
2007000187.tif 000004
【図３】
2007000187.tif 000005
【図４】
2007000187.tif 000006
【図５】
2007000187.tif 000007
【図６】
2007000187.tif 000008
【図７】
2007000187.tif 000009
【図８】
2007000187.tif 000010
【図９】
2007000187.tif 000011
【図１０】
2007000187.tif 000012
【図１１】
2007000187.tif 000013
【図１２】
2007000187.tif 000014
【図１３】
2007000187.tif 000015
【図１４】
2007000187.tif 000016
【図１５】
2007000187.tif 000017
【図１６】
2007000187.tif 000018
【図１７】
2007000187.tif 000019
【図１８】
2007000187.tif 000020
【図１９】
2007000187.tif 000021
【図２０】
2007000187.tif 000022
【図２１】
2007000187.tif 000023
【図２２】
2007000187.tif 000024
【図２３】
2007000187.tif 000025
【図２４】
2007000187.tif 000026
【図２５】
2007000187.tif 000027
【図２６】
2007000187.tif 000028
【図２７】
2007000187.tif 000029
【図２８】
2007000187.tif 000030